【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
移動通信システムであって、
端末（ＵＥ）がＡｔｔａｃｈ  Ｒｅｑｕｅｓｔを基地局（ｅＮｏｄｅＢ）に送信する手段と、
前記基地局が前記Ａｔｔａｃｈ  ＲｅｑｕｅｓｔをＭＭＥ（Ｍｏｂｉｌｉｔｙ  Ｍａｎａｇｅｍｅｎｔ  Ｅｎｔｉｔｙ）に転送する手段と、
前記ＭＭＥはＨＳＳ（Ｈｏｍｅ  Ｓｕｂｓｃｒｉｂｅｒ  Ｓｅｒｖｅｒ）からの加入者情報に基づき特定の端末を専門に扱う専用のＭＭＥに対応する識別子を含む要求信号を前記基地局に送信する手段と、
前記基地局は、前記識別子に基づき前記専用のＭＭＥを再選択する手段と、
前記基地局は、ＮＡＳ（Ｎｏｎ−Ａｃｃｅｓｓ  Ｓｔｒａｔｕｍ）メッセージを前記再選択された専用のＭＭＥに送信する手段を有する移動通信システム。
【請求項２】
移動通信システムであって、
端末（ＵＥ）がＡｔｔａｃｈ  ＲｅｑｕｅｓｔをＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）Ｓｕｐｐｏｒｔ  Ｎｏｄｅ）に送信する手段と、
前記ＳＧＳＮはＨＬＲ（Ｈｏｍｅ  Ｌｏｃａｔｉｏｎ  Ｒｅｇｉｓｔｅｒ）からの加入者情報に基づき特定の端末を専門に扱う専用のＳＧＳＮに対応する識別子を含む要求信号をＲＮＣ（Ｒａｄｉｏ  Ｎｅｔｗｏｒｋ  Ｃｏｎｔｒｏｌｌｅｒ）に送信する手段と、
前記ＲＮＣは、前記識別子に基づき前記専用のＳＧＳＮを再選択する手段と、
前記ＲＮＣは、ＮＡＳ（Ｎｏｎ−Ａｃｃｅｓｓ  Ｓｔｒａｔｕｍ）メッセージを前記再選択された専用のＳＧＳＮに送信する手段を有する移動通信システム。
【請求項３】
移動通信システムの通信方法であって、
端末（ＵＥ）がＡｔｔａｃｈ  Ｒｅｑｕｅｓｔを基地局（ｅＮｏｄｅＢ）に送信し、
前記基地局が前記Ａｔｔａｃｈ  ＲｅｑｕｅｓｔをＭＭＥ（Ｍｏｂｉｌｉｔｙ  Ｍａｎａｇｅｍｅｎｔ  Ｅｎｔｉｔｙ）に転送し、
前記ＭＭＥはＨＳＳ（Ｈｏｍｅ  Ｓｕｂｓｃｒｉｂｅｒ  Ｓｅｒｖｅｒ）からの加入者情報に基づき特定の端末を専門に扱う専用のＭＭＥに対応する識別子を含む要求信号を前記基地局に送信し、
前記基地局は、前記識別子に基づき前記専用のＭＭＥを再選択し、
前記基地局は、ＮＡＳ（Ｎｏｎ−Ａｃｃｅｓｓ  Ｓｔｒａｔｕｍ）メッセージを前記再選択された専用のＭＭＥに送信する移動通信システムの通信方法。
【請求項４】
移動通信システムの通信方法であって、
端末（ＵＥ）がＡｔｔａｃｈ  ＲｅｑｕｅｓｔをＳＧＳＮ（Ｓｅｒｖｉｎｇ  ＧＰＲＳ  （Ｇｅｎｅｒａｌ  Ｐａｃｋｅｔ  Ｒａｄｉｏ  Ｓｅｒｖｉｃｅ）Ｓｕｐｐｏｒｔ  Ｎｏｄｅ）に送信し、
前記ＳＧＳＮはＨＬＲ（Ｈｏｍｅ  Ｌｏｃａｔｉｏｎ  Ｒｅｇｉｓｔｅｒ）からの加入者情報に基づき特定の端末を専門に扱う専用のＳＧＳＮに対応する識別子を含む要求信号をＲＮＣ（Ｒａｄｉｏ  Ｎｅｔｗｏｒｋ  Ｃｏｎｔｒｏｌｌｅｒ）に送信し、
前記ＲＮＣは、前記識別子に基づき前記専用のＳＧＳＮを再選択し、
前記ＲＮＣは、ＮＡＳ（Ｎｏｎ−Ａｃｃｅｓｓ  Ｓｔｒａｔｕｍ）メッセージを前記再選択された専用のＳＧＳＮに送信する移動通信システムの通信方法。
【請求項５】
移動通信システムに用いられる端末（ＵＥ）であって、
前記端末に関する情報を含むＡｔｔａｃｈ  Ｒｅｑｕｅｓｔを基地局（ｅＮｏｄｅＢ）に送信する手段を備え、
前記基地局が前記Ａｔｔａｃｈ  ＲｅｑｕｅｓｔをＭＭＥ（Ｍｏｂｉｌｉｔｙ  Ｍａｎａｇｅｍｅｎｔ  Ｅｎｔｉｔｙ）に転送し、前記ＭＭＥはＨＳＳ（Ｈｏｍｅ  Ｓｕｂｓｃｒｉｂｅｒ  Ｓｅｒｖｅｒ）からの加入者情報に基づき特定の端末を専門に扱う専用のＭＭＥに対応する識別子を含む要求信号を前記基地局に送信し、前記基地局が前記識別子に基づき前記専用のＭＭＥを再選択することにより、前記特定の端末が前記再選択された専用のＭＭＥに接続する端末。
【請求項６】
移動通信システムに用いられる端末（ＵＥ）であって、
前記端末に関する情報を含むＡｔｔａｃｈ  ＲｅｑｕｅｓｔをＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）Ｓｕｐｐｏｒｔ  Ｎｏｄｅ）に送信する手段を備え、
前記ＳＧＳＮはＨＬＲ（Ｈｏｍｅ  Ｌｏｃａｔｉｏｎ  Ｒｅｇｉｓｔｅｒ）からの加入者情報に基づき特定の端末を専門に扱う専用のＳＧＳＮに対応する識別子を含む要求信号をＲＮＣ（Ｒａｄｉｏ  Ｎｅｔｗｏｒｋ  Ｃｏｎｔｒｏｌｌｅｒ）に送信し、前記ＲＮＣが前記識別子に基づき前記専用のＳＧＳＮを再選択することにより、前記特定の端末が前記再選択された専用のＳＧＳＮに接続する端末。
【請求項７】
移動通信システムに用いられる端末（ＵＥ）の通信方法であって、
前記端末に関する情報を含むＡｔｔａｃｈ  Ｒｅｑｕｅｓｔを基地局（ｅＮｏｄｅＢ）に送信し、
前記基地局が前記Ａｔｔａｃｈ  ＲｅｑｕｅｓｔをＭＭＥ（Ｍｏｂｉｌｉｔｙ  Ｍａｎａｇｅｍｅｎｔ  Ｅｎｔｉｔｙ）に転送し、前記ＭＭＥはＨＳＳ（Ｈｏｍｅ  Ｓｕｂｓｃｒｉｂｅｒ  Ｓｅｒｖｅｒ）からの加入者情報に基づき特定の端末を専門に扱う専用のＭＭＥに対応する識別子を含む要求信号を前記基地局に送信し、前記基地局が前記識別子に基づき前記専用のＭＭＥを再選択することにより、前記特定の端末が前記再選択された専用のＭＭＥに接続する端末の通信方法。
【請求項８】
移動通信システムに用いられる端末（ＵＥ）の通信方法であって、
前記端末に関する情報を含むＡｔｔａｃｈ  ＲｅｑｕｅｓｔをＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）Ｓｕｐｐｏｒｔ  Ｎｏｄｅ）に送信し、
前記ＳＧＳＮはＨＬＲ（Ｈｏｍｅ  Ｌｏｃａｔｉｏｎ  Ｒｅｇｉｓｔｅｒ）からの加入者情報に基づき特定の端末を専門に扱う専用のＳＧＳＮに対応する識別子を含む要求信号をＲＮＣ（Ｒａｄｉｏ  Ｎｅｔｗｏｒｋ  Ｃｏｎｔｒｏｌｌｅｒ）に送信し、前記ＲＮＣが前記識別子に基づき前記専用のＳＧＳＮを再選択することにより、前記特定の端末が前記再選択された専用のＳＧＳＮに接続する端末の通信方法。
【手続補正２】
【補正対象書類名】明細書
【補正対象項目名】００１７
【補正方法】変更
【補正の内容】
【００１７】
本発明の１つの側面によれば、移動通信システムであって、端末（ＵＥ）がＡｔｔａｃｈ  Ｒｅｑｕｅｓｔを基地局（ｅＮｏｄｅＢ）に送信する手段と、
前記基地局が前記Ａｔｔａｃｈ  ＲｅｑｕｅｓｔをＭＭＥ（Ｍｏｂｉｌｉｔｙ  Ｍａｎａｇｅｍｅｎｔ  Ｅｎｔｉｔｙ）に転送する手段と、
前記ＭＭＥはＨＳＳ（Ｈｏｍｅ  Ｓｕｂｓｃｒｉｂｅｒ  Ｓｅｒｖｅｒ）からの加入者情報に基づき特定の端末を専門に扱う専用のＭＭＥに対応する識別子を含む要求信号を前記基地局に送信する手段と、
前記基地局は、前記識別子に基づき前記専用のＭＭＥを再選択する手段と、
前記基地局は、ＮＡＳ（Ｎｏｎ−Ａｃｃｅｓｓ  Ｓｔｒａｔｕｍ）メッセージを前記再選択された専用のＭＭＥに送信する手段を有する移動通信システムが提供される。
また、本発明によれば、移動通信システムであって、端末（ＵＥ）がＡｔｔａｃｈ  ＲｅｑｕｅｓｔをＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）Ｓｕｐｐｏｒｔ  Ｎｏｄｅ）に送信する手段と、
前記ＳＧＳＮはＨＬＲ（Ｈｏｍｅ  Ｌｏｃａｔｉｏｎ  Ｒｅｇｉｓｔｅｒ）からの加入者情報に基づき特定の端末を専門に扱う専用のＳＧＳＮに対応する識別子を含む要求信号をＲＮＣ（Ｒａｄｉｏ  Ｎｅｔｗｏｒｋ  Ｃｏｎｔｒｏｌｌｅｒ）に送信する手段と、
前記ＲＮＣは、前記識別子に基づき前記専用のＳＧＳＮを再選択する手段と、
前記ＲＮＣは、ＮＡＳ（Ｎｏｎ−Ａｃｃｅｓｓ  Ｓｔｒａｔｕｍ）メッセージを前記再選択された専用のＳＧＳＮに送信する手段を有する移動通信システムが提供される。
【手続補正３】
【補正対象書類名】明細書
【補正対象項目名】００１８
【補正方法】変更
【補正の内容】
【００１８】
本発明の別の側面によれば、移動通信システムの通信方法であって、
端末（ＵＥ）がＡｔｔａｃｈ  Ｒｅｑｕｅｓｔを基地局（ｅＮｏｄｅＢ）に送信し、
前記基地局が前記Ａｔｔａｃｈ  ＲｅｑｕｅｓｔをＭＭＥ（Ｍｏｂｉｌｉｔｙ  Ｍａｎａｇｅｍｅｎｔ  Ｅｎｔｉｔｙ）に転送し、
前記ＭＭＥはＨＳＳ（Ｈｏｍｅ  Ｓｕｂｓｃｒｉｂｅｒ  Ｓｅｒｖｅｒ）からの加入者情報に基づき特定の端末を専門に扱う専用のＭＭＥに対応する識別子を含む要求信号を前記基地局に送信し、
前記基地局は、前記識別子に基づき前記専用のＭＭＥを再選択し、
前記基地局は、ＮＡＳ（Ｎｏｎ−Ａｃｃｅｓｓ  Ｓｔｒａｔｕｍ）メッセージを前記再選択された専用のＭＭＥに送信する移動通信システムの通信方法が提供される。
また、本発明によれば、移動通信システムの通信方法であって、
端末（ＵＥ）がＡｔｔａｃｈ  ＲｅｑｕｅｓｔをＳＧＳＮ（Ｓｅｒｖｉｎｇ  ＧＰＲＳ  （Ｇｅｎｅｒａｌ  Ｐａｃｋｅｔ  Ｒａｄｉｏ  Ｓｅｒｖｉｃｅ）Ｓｕｐｐｏｒｔ  Ｎｏｄｅ）に送信し、
前記ＳＧＳＮはＨＬＲ（Ｈｏｍｅ  Ｌｏｃａｔｉｏｎ  Ｒｅｇｉｓｔｅｒ）からの加入者情報に基づき特定の端末を専門に扱う専用のＳＧＳＮに対応する識別子を含む要求信号をＲＮＣ（Ｒａｄｉｏ  Ｎｅｔｗｏｒｋ  Ｃｏｎｔｒｏｌｌｅｒ）に送信し、
前記ＲＮＣは、前記識別子に基づき前記専用のＳＧＳＮを再選択し、
前記ＲＮＣは、ＮＡＳ（Ｎｏｎ−Ａｃｃｅｓｓ  Ｓｔｒａｔｕｍ）メッセージを前記再選択された専用のＳＧＳＮに送信する移動通信システムの通信方法が提供される。
本発明によれば、移動通信システムに用いられる端末（ＵＥ）の通信方法であって、
前記端末に関する情報を含むＡｔｔａｃｈ  Ｒｅｑｕｅｓｔを基地局（ｅＮｏｄｅＢ）に送信し、
前記基地局が前記Ａｔｔａｃｈ  ＲｅｑｕｅｓｔをＭＭＥ（Ｍｏｂｉｌｉｔｙ  Ｍａｎａｇｅｍｅｎｔ  Ｅｎｔｉｔｙ）に転送し、前記ＭＭＥはＨＳＳ（Ｈｏｍｅ  Ｓｕｂｓｃｒｉｂｅｒ  Ｓｅｒｖｅｒ）からの加入者情報に基づき特定の端末を専門に扱う専用のＭＭＥに対応する識別子を含む要求信号を前記基地局に送信し、前記基地局が前記識別子に基づき前記専用のＭＭＥを再選択することにより、前記特定の端末が前記再選択された専用のＭＭＥに接続する端末の通信方法が提供される。
本発明によれば、移動通信システムに用いられる端末（ＵＥ）の通信方法であって、
前記端末に関する情報を含むＡｔｔａｃｈ  ＲｅｑｕｅｓｔをＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）Ｓｕｐｐｏｒｔ  Ｎｏｄｅ）に送信し、
前記ＳＧＳＮはＨＬＲ（Ｈｏｍｅ  Ｌｏｃａｔｉｏｎ  Ｒｅｇｉｓｔｅｒ）からの加入者情報に基づき特定の端末を専門に扱う専用のＳＧＳＮに対応する識別子を含む要求信号をＲＮＣ（Ｒａｄｉｏ  Ｎｅｔｗｏｒｋ  Ｃｏｎｔｒｏｌｌｅｒ）に送信し、前記ＲＮＣが前記識別子に基づき前記専用のＳＧＳＮを再選択することにより、前記特定の端末が前記再選択された専用のＳＧＳＮに接続する端末の通信方法が提供される。
【手続補正４】
【補正対象書類名】明細書
【補正対象項目名】００１９
【補正方法】変更
【補正の内容】
【００１９】
本発明の別の側面によれば、移動通信システムに用いられる端末（ＵＥ）であって、
前記端末に関する情報を含むＡｔｔａｃｈ  Ｒｅｑｕｅｓｔを基地局（ｅＮｏｄｅＢ）に送信する手段を備え、
前記基地局が前記Ａｔｔａｃｈ  ＲｅｑｕｅｓｔをＭＭＥ（Ｍｏｂｉｌｉｔｙ  Ｍａｎａｇｅｍｅｎｔ  Ｅｎｔｉｔｙ）に転送し、前記ＭＭＥはＨＳＳ（Ｈｏｍｅ  Ｓｕｂｓｃｒｉｂｅｒ  Ｓｅｒｖｅｒ）からの加入者情報に基づき特定の端末を専門に扱う専用のＭＭＥに対応する識別子を含む要求信号を前記基地局に送信し、前記基地局が前記識別子に基づき前記専用のＭＭＥを再選択することにより、前記特定の端末が前記再選択された専用のＭＭＥに接続する端末が提供される。
本発明によれば、移動通信システムに用いられる端末（ＵＥ）であって、
前記端末に関する情報を含むＡｔｔａｃｈ  ＲｅｑｕｅｓｔをＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）Ｓｕｐｐｏｒｔ  Ｎｏｄｅ）に送信する手段を備え、
前記ＳＧＳＮはＨＬＲ（Ｈｏｍｅ  Ｌｏｃａｔｉｏｎ  Ｒｅｇｉｓｔｅｒ）からの加入者情報に基づき特定の端末を専門に扱う専用のＳＧＳＮに対応する識別子を含む要求信号をＲＮＣ（Ｒａｄｉｏ  Ｎｅｔｗｏｒｋ  Ｃｏｎｔｒｏｌｌｅｒ）に送信し、前記ＲＮＣが前記識別子に基づき前記専用のＳＧＳＮを再選択することにより、前記特定の端末が前記再選択された専用のＳＧＳＮに接続する端末が提供される。